(57)【要約】【課題】  ＦＡＸ送信作業を、簡略かつ、確実に行うことができるプリンタドライバを提供する。【解決手段】  ＦＡＸ機能を有する画像形成装置を制御するプリンタドライバにおいて、ＦＡＸ原稿に対し、送信先のＦＡＸ番号とそのＦＡＸ番号の印字場所を入力させ、出力画像中の指定した場所にＦＡＸ番号を印字する機能を有する。【選択図】  図１
2007053413.tif 000002
【特許請求の範囲】
【請求項１】
ＦＡＸ機能を備えた画像形成装置を制御するプリンタドライバにおいて、前記画像形成装置により出力したＦＡＸ原稿に対し、送信先のＦＡＸ番号とそのＦＡＸ番号の印字場所を入力する入力手段と、出力画像中の指定した場所にＦＡＸ番号を印字する印字手段と、を備えたことを特徴とするプリンタドライバ。
【請求項２】
請求項１に記載のプリンタドライバにおいて、使用する画像形成装置を登録し、登録された画像形成装置のＦＡＸ番号の印字場所を選択する選択手段を備えたことを特徴とするプリンタドライバ。
【請求項３】
請求項２に記載のプリンタドライバにおいて、登録された特定のＦＡＸ装置での印字の場合、ＦＡＸ番号を、バーコードを含むデジタルデータにより印字することを特徴とするプリンタドライバ。
【請求項４】
請求項１乃至３のいずれか１項記載のプリンタドライバを使用することを特徴とする画像形成装置。
【発明の詳細な説明】
【技術分野】
【０００１】
本発明は、プリンタドライバ(ドライバソフトウェア)及びデジタル複合機、ＦＡＸ装置などのＦＡＸ機能を有する画像形成装置に関する。
【背景技術】
【０００２】
従来のＦＡＸ装置のプリンタドライバおいては、出力画像をＦＡＸ原稿に使用する場合、ＦＡＸがフェイスアップならフッタ部に、フェイスダウンの場合は裏面に、送信先のＦＡＸ番号を手書きしていた。
【発明の開示】
【発明が解決しようとする課題】
【０００３】
上述の如く従来は、出力画像をＦＡＸ原稿に使用する場合、ＦＡＸがフェイスアップならフッタ部に、フェイスダウンの場合は裏面に、送信先のＦＡＸ番号を手書きしていた。その場合ＦＡＸ番号印字位置も正確に把握する必要があり、ＦＡＸ送信作業に手間がかかっていた。
本発明は、ＦＡＸ送信作業を、簡略かつ、確実に行うことができるプリンタドライバを提供することを目的とする。
【課題を解決するための手段】
【０００４】
上記目的を達成するために、請求項１記載の発明は、ＦＡＸ機能を備えた画像形成装置を制御するプリンタドライバにおいて、前記画像形成装置により出力したＦＡＸ原稿に対し、送信先のＦＡＸ番号とそのＦＡＸ番号の印字場所を入力する入力手段と、出力画像中の指定した場所にＦＡＸ番号を印字する印字手段と、を備えたことを特徴とする。
請求項２記載の発明は、請求項１に記載のプリンタドライバにおいて、使用する画像形成装置を登録し、登録された画像形成装置のＦＡＸ番号の印字場所を選択する選択手段を備えたことを特徴とする。
請求項３記載の発明は、請求項２に記載のプリンタドライバにおいて、登録された特定のＦＡＸ装置での印字の場合、ＦＡＸ番号を、バーコードを含むデジタルデータにより印字することを特徴とする。
請求項４記載の発明は、請求項１乃至３のいずれか１項記載のプリンタドライバを使用することを特徴とする。
【発明の効果】
【０００５】
本発明は、ＦＡＸ機能を有する画像形成装置を制御するプリンタドライバにおいて、ＦＡＸ原稿に対し、送信先のＦＡＸ番号とそのＦＡＸ番号の印字場所を入力させ、出力画像中の指定した場所にＦＡＸ番号を印字する機能を有するので、ＦＡＸ送信作業を、簡略かつ、確実に行うことができる。
【発明を実施するための最良の形態】
【０００６】
以下、本発明の実施形態を図面に従って説明する。
図１は本発明の第１の実施形態に係るプリンタドライバの動作を示すフローチャートである。出力画像データを画像出力装置(相手先ＦＡＸ装置)に転送前に、出力データをＦＡＸ原稿に使用するかどうかのメッセージ画面を表示し、ＦＡＸ原稿の場合(Ｓ１でＹ)、オペレータに送信先のＦＡＸ番号を入力させ(Ｓ２)、かつＦＡＸ番号印字場所を選択させ(Ｓ３)、ＦＡＸ番号印字場所が表であれは(Ｓ４でＹ)、表に印字データとＦＡＸ番号を合成する(Ｓ５)。裏であれば(Ｓ４でＮ)、裏に印字データとＦＡＸ番号を合成する(Ｓ６)。そして印字データを出力する。
図２は本発明の第２の実施形態に係るプリンタドライバの動作を示すフローチャートである。出力画像データを画像出力装置(相手先ＦＡＸ装置)に転送前に、出力データをＦＡＸ原稿に使用するかどうかのメッセージ画面を表示し、ＦＡＸ原稿の場合(Ｓ１でＹ)、オペレータに送信先のＦＡＸ番号を入力させ(Ｓ２)、かつ登録しておいた使用ＦＡＸ機種を選択させ(Ｓ３)、選択したＦＡＸ機種のＦＡＸ番号印字場所が表であれは(Ｓ４でＹ)、表に印字データとＦＡＸ番号を合成する(Ｓ５)。裏であれば(Ｓ４でＮ)、裏に印字データとＦＡＸ番号を合成する(Ｓ６)。そして印字データを出力する。
本実施形態によれば、オペレータにＦＡＸ番号の印字場所を入力させることなく、最適なＦＡＸ用原稿を出力することができる。
【０００７】
図３は本発明の第３の実施形態に係るプリンタドライバの動作を示すフローチャートである。出力画像データを画像出力装置(相手先ＦＡＸ装置)に転送前に、出力データをＦＡＸ原稿に使用するかどうかのメッセージ画面を表示し、ＦＡＸ原稿の場合(Ｓ１でＹ)、オペレータに送信先のＦＡＸ番号を入力させ(Ｓ２)、かつ登録しておいた使用ＦＡＸ機種を選択させ(Ｓ３)、選択したＦＡＸ機種がバーコード対応であるか判断する(Ｓ４)。
バーコード対応であれば(Ｓ４でＹ)、ＦＡＸ番号をバーコード変換し(Ｓ５)、選択したＦＡＸ機種のＦＡＸ番号印字場所が表であれは(Ｓ６でＹ)、表に印字データとＦＡＸ番号を合成する(Ｓ７)。裏であれば(Ｓ６でＮ)、裏に印字データとＦＡＸ番号を合成する(Ｓ８)。そして印字データを出力する。
バーコード対応でなければ(Ｓ４でＮ)、バーコード変換せず、選択したＦＡＸ機種のＦＡＸ番号印字場所が表であれは(Ｓ９でＹ)、表に印字データとＦＡＸ番号を合成する(Ｓ１０)。裏であれば(Ｓ９でＮ)、裏に印字データとＦＡＸ番号を合成する(Ｓ１１)。そして印字データを出力する。
本実施形態によれば、原稿の送信先が特定し難く情報漏洩を防止することができる。
図４は本発明の実施形態に係るＦＡＸ装置の動作を示すフローチャートである。原稿がバーコード入りだった場合(Ｓ１でＹ)、第３の実施形態のプリンタドライバを利用し、バーコードのデジタルデータで印字されたＦＡＸ番号をスキャナ部で読取り(Ｓ２)、バーコード部をＦＡＸ番号に変換する(Ｓ３)。原稿がバーコード入りでなかった場合(Ｓ１でＮ)、ＦＡＸ番号を入力して(Ｓ４) 、そのＦＡＸ番号をスキャナ部で読取る(Ｓ５)。そしてＦＡＸ送信する。
本実施形態のＦＡＸ装置は、プリンタドライバでバーコード等のデジタルデータで印字されたＦＡＸ番号をスキャナ部で読取り、自動的にＦＡＸ送信する機能を有しているので、ＦＡＸ番号を手入力すること無くＦＡＸ送信することができる。
【図面の簡単な説明】
【０００８】
【図１】本発明の第１の実施形態に係るプリンタドライバの動作を示すフローチャートである。
【図２】本発明の第２の実施形態に係るプリンタドライバの動作を示すフローチャートである。
【図３】本発明の第３の実施形態に係るプリンタドライバの動作を示すフローチャートである。
【図４】本発明の実施形態に係るＦＡＸ装置の動作を示すフローチャートである。
【図１】
2007053413.tif 000003
【図２】
2007053413.tif 000004
【図３】
2007053413.tif 000005
【図４】
2007053413.tif 000006